(57)【要約】  拡張現実を使用することで、後続の計画手順に従って配置した場合の結果も同時に捕捉し、歯科インプラント装置の配置が容易になる方法およびシステム。患者の１つまたは複数の術前画像を使用して所望の歯科インプラント位置を計画し、仮想現実手段によって計画された歯科インプラントの位置および１つまたは複数の術前画像を患者の上に重ね合わせることによって、臨床医は、術前画像と計画されたインプラントの位置との間の位置関係を認識し得る。【選択図】図１
2021529618.tif 000002
【特許請求の範囲】
【請求項１】
拡張視覚化を利用する方法であって、
患者の１つまたは複数の術前画像を得ることと、
前記１つまたは複数の術前画像中の共通の特徴または基準点に基づいて、前記１つまたは複数の術前画像を幾何学的に登録してまとめることと、
計画されたインプラントの位置を含む治療計画を提供することと、
前記幾何学的に登録された術前画像および／または前記計画されたインプラントの位置を、前記患者の標的領域上に直接重なって見えるように前記患者の上に重ね合わせることと、
前記重ね合わされた幾何学的に登録された術前画像と前記計画されたインプラントの位置との間の位置関係に基づいて、切削孔を作り、かつ／またはインプラントを埋入するためのナビゲーション指示を提供することと
を含む、方法。
【請求項２】
前記重ね合わせは、ディスプレイを通して行われる、請求項１に記載の方法。
【請求項３】
最終的なインプラントの位置を決定することと、
前記最終的なインプラントの位置に基づいて修復物を設計することと
をさらに含む、請求項１に記載の方法。
【請求項４】
前記最終的なインプラントの位置は、（ｉ）ハンドピース、前記ハンドピースの構成要素、および／もしくはインプラントのジオメトリデータ、ならびに／または（ｉｉ）前記治療領域の術後画像に基づいて決定される、請求項３に記載の方法。
【請求項５】
前記最終的なインプラントの位置は、（ｉ）前記患者の臨床環境を追跡することと、（ｉｉ）前記臨床環境に対するハンドピース位置を追跡することと、（ｉｉｉ）前記ハンドピース位置に対するドリル位置を追跡することと、（ｉｖ）前記臨床環境に対するドリル位置を得ることと、（ｖ）前記インプラントを前記最終的な位置に打ち込むのに使用されるインプラントドライバーの寸法を得ることとによって決定される、請求項３に記載の方法。
【請求項６】
前記術前画像は、Ｘ線走査データ、口腔内走査データ、および／または顔面走査データを含む、請求項１に記載の方法。
【請求項７】
前記幾何学的登録は、手動または自律的である、請求項１に記載の方法。
【請求項８】
前記共通の特徴または基準点は、所定のマーカー、咬合平面、および／または歯の解剖学的特徴を含む、請求項１に記載の方法。
【請求項９】
前記計画されたインプラントの位置についての情報は、前記インプラントに最適な穿孔を含む、請求項１に記載の方法。
【請求項１０】
前記幾何学的に登録された術前画像の位置および／または前記計画されたインプラントの位置を、追跡手段を使用して更新することをさらに含む、請求項１に記載の方法。
【請求項１１】
前記ナビゲーション指示は、視覚、聴覚、および／または触覚形態である、請求項１に記載の方法。
【請求項１２】
拡張視覚化を利用するシステムであって、
患者の１つまたは複数の術前画像を得ることと、
前記１つまたは複数の術前画像中の共通の特徴または基準点に基づいて、前記１つまたは複数の術前画像を幾何学的に登録してまとめることと、
計画されたインプラントの位置を含む治療計画を提供することと、
前記幾何学的に登録された術前画像および／または前記計画されたインプラントの位置を、前記患者の標的領域上に直接重なって見えるように前記患者の上に重ね合わせることと、
前記重ね合わされた幾何学的に登録された術前画像と前記計画されたインプラントの位置との間の位置関係に基づいて、切削孔を作り、かつ／またはインプラントを埋入するためのナビゲーション指示を提供することと
を行うように構成された少なくとも１つのプロセッサを備える、システム。
【請求項１３】
前記重ね合わせのために画像を受信するように構成されたディスプレイ装置をさらに備える、請求項１２に記載のシステム。
【請求項１４】
共通の座標系での画像および物体の精密な位置および配向のために、リアルタイムの位置データを提示するように構成された追跡手段をさらに備える、請求項１２に記載のシステム。
【請求項１５】
前記追跡手段は、センサベースおよび／または視覚ベースである、請求項１４に記載のシステム。
【請求項１６】
前記プロセッサは、
最終的なインプラントの位置を決定することと、
前記最終的なインプラントの位置に基づいて修復物を設計することと
を行うようにさらに構成される、請求項１２に記載のシステム。
【請求項１７】
前記プロセッサは、前記最終的なインプラントの位置を、（ｉ）ハンドピース、前記ハンドピースの構成要素、および／もしくはインプラントのジオメトリデータ、ならびに／または（ｉｉ）前記治療領域の術後画像に基づいて決定するようにさらに構成される、請求項１２に記載のシステム。
【請求項１８】
前記プロセッサは、前記最終的なインプラントの位置を、（ｉ）前記患者の臨床環境を追跡することと、（ｉｉ）前記臨床環境に対するハンドピース位置を追跡することと、（ｉｉｉ）前記ハンドピース位置に対するドリル位置を追跡することと、（ｉｖ）前記臨床環境に対するドリル位置を得ることと、（ｖ）前記インプラントを前記最終的な位置に打ち込むのに使用されるインプラントドライバーの寸法を得ることとによって決定するようにさらに構成される、請求項１７に記載のシステム。
【請求項１９】
前記術前画像は、Ｘ線走査データ、口腔内走査データ、および／または顔面走査データを含む、請求項１２に記載のシステム。
【請求項２０】
前記幾何学的登録は、手動または自律的である、請求項１２に記載のシステム。
【請求項２１】
前記共通の特徴または基準点は、所定のマーカー、咬合平面、および／または歯の解剖学的特徴を含む、請求項１２に記載のシステム。
【請求項２２】
前記計画されたインプラントの位置についての情報は、前記インプラントに最適な穿孔を含む、請求項１２に記載のシステム。
【請求項２３】
前記プロセッサは、前記ナビゲーション指示を、視覚、聴覚、および／または触覚形態で提供するようにさらに構成される、請求項１２に記載のシステム。
【請求項２４】
拡張視覚化を利用する方法であって、
患者の１つまたは複数の術前画像を得ることと、
前記１つまたは複数の術前画像中の共通の特徴または基準点に基づいて、前記１つまたは複数の術前画像を幾何学的に登録してまとめることと、
計画されたインプラントの位置を含む治療計画を提供することと、
前記幾何学的に登録された術前画像と前記計画されたインプラントの位置との間の位置関係に基づいて、切削孔を作り、かつ／またはインプラントを埋入することと、
最終的なインプラントの位置を、（ｉ）ハンドピース、前記ハンドピースの構成要素、および／もしくはインプラントのジオメトリデータ、ならびに／または（ｉｉ）前記治療領域の術後画像に基づいて決定することと
を含む、方法。
【発明の詳細な説明】
【技術分野】
【０００１】
関連出願への相互参照
本国際出願は、あらゆる目的のために参照により本明細書に組み込まれる、２０１８年７月５日に出願された米国特許仮出願第６２／６９４，１２７号、および２０１８年８月２３日に出願された対応する米国特許出願第１６／１１０，５１１号の利益を主張するものである。
【０００２】
本出願は、概して、画像誘導手術の方法およびシステム、より具体的には、歯科手順中に拡張現実を使用することで、後続の計画手順に従って配置した場合の結果も同時に捕捉する、歯科インプラントの誘導配置の方法およびシステムに関する。
【背景技術】
【０００３】
修復物の使用によって、ならびに物理的ガイド／スリーブおよび修復物を使用する歯科インプラントの配置によって、歯の欠損を治療して歯の機能を回復させるための様々な選択肢が存在する。別の選択肢は、歯科インプラントを配置するロボット手術の使用である。
【０００４】
臨床医は、コンピュータ、およびＣＢＣＴまたはＸ線などのデジタル画像または走査を使用して、骨および神経組織に対する歯科インプラントの位置付け可能な位置をデジタル処理で視覚化および操作し得る。しかしながら、理想的なインプラント位置を得るには、物理的ガイドまたはロボット手術の形態の支援が必要な場合がある。物理的ガイドは製造および輸送に時間がかかり、ロボット手術は高価である。
【０００５】
物理的ガイドを使用する歯科インプラントの配置では、通常、物理的ガイドを設計／製造および／または輸送するために、患者および臨床医は、コーンビームコンピュータ断層撮影（ＣＢＣＴ）走査を行ってからインプラント配置手順に至るまでに数日間を要する。走査およびインプラント配置に別々の予約が必要な場合があり、これは、時間がかかり、かつ高価であり得る。
【０００６】
既存のインプラント配置技術では、最終的なインプラントの位置の誤差は、計画されたインプラントの位置に対して２００〜１０００ミクロンの間であり得る。正確な修復物設計に許容されるばらつきは、はるかに小さく、＜１００ミクロンの精度を要求する。十分に信頼できる修復物設計になるようにインプラントを正確に配置することができないことから、修復物設計プロセスへの入力として、インプラント配置後に印象が採得されてよい。この印象は、修復物を設計および作製するのに十分な正確度で、隣接する歯列に対するインプラントの位置のデジタル表現を提供し得る。しかしながら、手術中に追加の走査設備、口腔内走査フラグまたは伝統的な印象構成要素／材料の使用、デジタルまたは物理的な印象採得のために患者が臨床医に追加で受診する必要が生じ得る。誘導されたインプラント配置の幾何学的詳細／結果を捕捉することによって、修復物設計のために追加の印象は必要ない場合があり、口腔内走査フラグ、インプラント配置中もしくはインプラント配置後の口腔内走査、または追加の印象採得の予約の必要性を排除する。
【０００７】
米国特許出願第２０１７２０２６３３号は、ユーザが見るためのウェアラブルディスプレイを備える、医療介入を誘導するための撮像および表示システムを開示し、ディスプレイは、術前手術ナビゲーション画像、術中画像、および生体顕微鏡画像、または感知データを含む、合成または複合画像を提示する。顕微鏡プローブまたは感知プローブなどのプローブは、患者から生体内撮像／感知データを取得するために使用されてよく、術中画像および生体内画像は、それらを術前画像および患者と位置合わせして表示用合成画像を形成するための追跡および登録技術を使用して取得されてよい。
【０００８】
米国特許出願第２００２００８２４９８号は、患者の一部の３次元（３Ｄ）体積データを捕捉すること、データの図形表現を提供するために体積データを処理すること、前述の患者の一部を含む現場の立体視映像を捕捉すること、立体拡張画像を提供するために、図形表現および立体視映像を融合した方法でレンダリングすること、ならびに前述の立体拡張画像をビデオシースルー型ディスプレイに表示することを含む、画像誘導手術の方法を開示する。
【０００９】
米国特許出願公開第２０１６０１９１８８７号は、外科医の静的または動的視点からの患者の拡張ビューを表示するための、リアルタイムの手術ナビゲーション方法および装置について記載している。表面画像、術前または術中画像から処理された患者の内部の解剖学的構造の図形表現、および両画像を幾何学的に登録するコンピュータが使用されてよい。画像の幾何学的登録に応答して、ヘッドマウントディスプレイは、外科医に患者の拡張ビューを提示してよい。
【発明の概要】
【００１０】
上記に関連する既存の限界ならびに他の限界は、歯科手順中に拡張現実を使用することで、後続の計画手順に従って配置した場合の結果も同時に捕捉する、歯科インプラントの誘導配置の方法およびシステムによって克服することができる。
【００１１】
本明細書の態様では、本発明は、拡張視覚化を利用する方法を提供してよく、方法は、患者の１つまたは複数の術前画像を得ることと、１つまたは複数の術前画像中の共通の特徴または基準点に基づいて、１つまたは複数の術前画像を幾何学的に登録してまとめることと、計画されたインプラントの位置を含む治療計画を提供することと、幾何学的に登録された術前画像および／または計画されたインプラントの位置を、患者の標的領域上に直接重なって見えるように患者の上に重ね合わせることと、重ね合わされた幾何学的に登録された術前画像と計画されたインプラントの位置との間の位置関係に基づいて、切削孔を作り、かつ／またはインプラントを埋入するためのナビゲーション指示を提供することと、を含む。
【００１２】
本明細書の別の態様では、方法は、（ｉ）最終的なインプラントの位置を決定することおよび最終的なインプラントの位置に基づいて修復物を設計することをさらに含むステップ、（ｉｉ）最終的なインプラントの位置を、（ａ）ハンドピース、ハンドピースの構成要素、および／もしくはインプラントのジオメトリデータ、ならびに／または（ｂ）治療領域の術後画像に基づいて決定することをさらに含むステップ、（ｉｉｉ）最終的なインプラントの位置を、（ａ）患者の臨床環境を追跡することと、（ｂ）臨床環境に対するハンドピース位置を追跡することと、（ｃ）ハンドピース位置に対するドリル位置を追跡することと、（ｄ）臨床環境に対するドリル位置を得ることと、（ｅ）インプラントを最終的な位置に打ち込むのに使用されるインプラントドライバーの寸法を得ることとによって決定することをさらに含むステップ、（ｉｖ）術前画像は、Ｘ線走査データ、口腔内走査データ、および／または顔面走査データを含み、（ｖ）幾何学的登録は、手動または自律的であり、（ｖｉ）共通の特徴または基準点は、所定のマーカー、咬合平面、および／または歯の解剖学的特徴を含み、（ｖｉｉ）計画されたインプラントの位置についての情報は、インプラントに最適な穿孔を含み、（ｖｉｉｉ）幾何学的に登録された術前画像の位置および／または計画されたインプラントの位置を追跡手段を使用して更新することをさらに含むステップ、（ｉｘ）ナビゲーション指示は、視覚／デジタル、聴覚、および／または触覚形態である、の１つまたは複数をさらに含んでよい。
【００１３】
別の態様では、システムが提供されてよく、システムは拡張視覚化を利用し、システムは、患者の１つまたは複数の術前画像を得ることと、１つまたは複数の術前画像中の共通の特徴または基準点に基づいて、１つまたは複数の術前画像を幾何学的に登録してまとめることと、計画されたインプラントの位置を含む治療計画を提供することと、幾何学的に登録された術前画像および／または計画されたインプラントの位置を、患者の標的領域上に直接重なって見えるように患者の上に重ね合わせることと、重ね合わされた幾何学的に登録された術前画像と計画されたインプラントの位置との間の位置関係に基づいて、切削孔を作り、かつ／またはインプラントを埋入するためのナビゲーション指示を提供することと、を行うように構成された少なくとも１つのプロセッサを備える。別の態様では、システムは、（ｉ）前述の重ね合わせのために画像を受信するように構成されたディスプレイ装置をさらに備えるシステム、（ｉｉ）共通の座標系での画像および物体の精密な位置および配向のために、リアルタイムの位置データを提示するように構成された追跡手段をさらに備えるシステム、（ｉｉｉ）追跡手段は、センサベースおよび／または視覚ベースであるシステム、（ｉｖ）プロセッサは、最終的なインプラントの位置を決定することおよび最終的なインプラントの位置に基づいて修復物を設計することを行うようにさらに構成されるシステム、（ｖ）プロセッサは、最終的なインプラントの位置を、（ａ）ハンドピース、ハンドピースの構成要素、および／もしくはインプラントのジオメトリデータ、ならびに／または（ｂ）治療領域の術後画像に基づいて決定するようにさらに構成されるシステム、（ｖｉ）プロセッサは、最終的なインプラントの位置を、（ａ）患者の臨床環境を追跡することと、（ｂ）臨床環境に対するハンドピース位置を追跡することと、（ｃ）ハンドピース位置に対するドリル位置を追跡することと、（ｄ）臨床環境に対するドリル位置を得ることと、（ｅ）インプラントを最終的な位置に打ち込むのに使用されるインプラントドライバーの寸法を得ることとによって決定するようにさらに構成されるシステム、（ｖｉｉ）術前画像は、Ｘ線走査データ、口腔内走査データ、および／または顔面走査データを含むシステム、（ｖｉｉｉ）幾何学的登録は、手動または自律的であるシステム、（ｉｘ）共通の特徴または基準点は、所定のマーカー、咬合平面、および／または歯の解剖学的特徴を含むシステム、（ｘ）計画されたインプラントの位置についての情報は、インプラントに最適な穿孔を含むシステム、（ｘｉ）プロセッサは、ナビゲーション指示を、視覚／デジタル、聴覚、および／または触覚形態で提供するようにさらに構成されるシステム、の構成の１つまたは複数を含んでよい。
【００１４】
例示的実施形態は、本明細書で以下に示されている詳細な説明、および同様の要素が同様の符号によって表されている添付の図面から、より完全に理解されるであろうが、これらは例示のためにのみ与えられており、したがって、本明細書の例示的実施形態に限定されない。
【図面の簡単な説明】
【００１５】
【図１】本発明の実施形態によるシステムを示す図である。
【図２】本発明の実施形態による例示的コンピュータシステムのブロック図を示す。
【図３】本発明の実施形態による方法を示す図である。
【図４】本発明の実施形態による別の方法を示す別の図を示す。
【発明を実施するための形態】
【００１６】
図面のうち異なる図が、同じ構成要素を識別するために同じであり得る少なくともいくつかの符号を有する場合があるが、そのような各構成要素の詳細な説明は、各図に関して以下に提供されていない場合がある。
【００１７】
発明の詳細な説明
本明細書に記載された例示的態様によれば、歯科インプラント装置４を容易に配置し提供するために複数のデジタルおよび／または物理データ入力を使用し、拡張現実ポータルを使用することで、修復物設計などの後続の計画手順に従って配置した場合の結果も同時に捕捉することが可能となる方法およびシステムが提供されてよい。患者の１つまたは複数の術前画像を使用して所望の歯科インプラントの位置３２を計画し、仮想現実手段によって計画された歯科インプラントの位置／計画された手術部位３２および１つまたは複数の術前画像を患者の上に重ね合わせることによって、臨床医は、術前画像と計画された手術部位３２との間の位置関係の認識を提供されてよく、これによって、インプラント切削手順を通して誘導されてよい。前述の重ね合わせは、（ｉ）ディスプレイを通して見ると、画像が直接患者の上に位置しているかのように見えるように、ディスプレイ上に画像を提供すること、および／または（ｉｉ）プロジェクタを使用して、画像を患者の標的部位１４ａ上に直接投影することを意味し得るが、これらに限定されない場合がある。さらに、手術後に最終的なインプラントの位置３４（計画されたインプラントの位置３２からの任意のずれを含む最終的なインプラントの位置３４）を記録または捕捉し、最終的なインプラントの位置３４の情報を患者の基準走査と組み合わせることによって、歯科修復物は、最終的なインプラントの位置３４に基づいて設計されてよく、通常、修復物設計の前に採得される歯科印象の必要性を排除する。
【００１８】
拡張現実誘導手術用のシステム
図１は、ヘッドマウント拡張現実眼鏡、ＨＵＤディスプレイ、または立体映像を受信することができる立体視ディスプレイなどのディスプレイ装置１２、または患者１４が治療椅子２４に座っている時、ＣＢＣＴもしくはＭＲＩ画像１８、口腔内画像２０、顔面画像（図示せず）、もしくはその他の画像などの画像を、患者１４もしくは患者１４の立体映像上に重ね合わせるために使用され得るその他のディスプレイ装置１２を備えるシステム１を示す。ＣＢＣＴまたはＭＲＩデータは、歯列、骨、および神経のジオメトリを含む、既存の歯の解剖学的構造を示してよく、口腔内走査データは、軟組織、およびトポグラフィ表面／歯列ジオメトリを示してよく、３Ｄ顔面走査および／または顔面の従来の写真は、鼻または外科的印などの他の顔面特徴に対する口／歯の位置を示してよい。
【００１９】
ディスプレイ装置１２は、コンピュータシステム１００に接続されてよいか、またはコンピュータシステム１００の一部を形成してよい。コンピュータシステム１００（図２にも示す）は、追跡手段２およびプロセッサ１２２を含んでよい。あるいは、追跡手段２は、本明細書で論じる装置、構成要素、および／またはシステムのいずれかの少なくとも一部を形成してよい。追跡手段２は、プロセッサ１２２に電気的に接続されてよく、共通の座標系での画像および物体の精密な位置および配向のために、リアルタイムの位置データを提示してよい。本明細書の例示的実施形態では、追跡手段は、（例えば、ハンドピースの位置またはハンドピース１６中のドリル２４の回転サイクルを追跡するための、圧力センサ、タッチセンサ、近接センサ、超音波センサ、赤外線センサ、回転センサおよびジャイロセンサならびに加速度計などの、ハンドピース１６中の埋め込みセンサ２６またはマーカー、患者１４および／または臨床医１０の動きを追跡するためのジャイロスコープおよび／または加速度計などのような）センサベースであってよい。別の実施形態では、追跡手段は、例えば、（ｉ）患者１４、または（ｉｉ）患者１４上のマーカー（図示せず）の視覚追跡用カメラのような、視覚ベースであってよい。さらに別の実施形態では、追跡手段は、センサベースの追跡手段と視覚ベースの追跡手段との融合であってよい。さらに、無線プロトコルが、追跡用の既知のマーカー位置を送信するのに使用されてよい。
【００２０】
システムは、治療部位の術前ＣＢＣＴ／ＭＲＩ走査を得るためのＸ線スキャナ２８（ＣＢＣＴ／ＭＲＩスキャナ）、患者の口の術前３Ｄ画像を得るための口腔内スキャナ３０、および／または顔面の３Ｄ走査を得るための３Ｄ顔面スキャナ３６をさらに備えてよい。３Ｄ光学追跡システムおよび／または立体カメラシステムなどのカメラシステム３が、コンピュータシステムに含まれてよく、追跡手段２を形成するか、または追跡手段２の一部であってよい。あるいは、カメラシステム３は、臨床医１０のディスプレイ装置１２に埋め込まれてよいか、または追跡手段２の一部であってよい。
【００２１】
プロセッサ１２２は、ＣＢＣＴ／ＭＲＩデータ１８、口腔内画像２０、および／または顔面走査を受信し、それらを幾何学的に登録してまとめ、例えば、シースルー型拡張現実眼鏡／ＨＵＤディスプレイを通して患者１４上に、または例えば、ヘッドマウント立体視ディスプレイを使用して患者の立体映像上に、重ね合わせるように構成されてよい。計画されたインプラントの位置３２（計画された／所望のドリル深さを任意選択で含む計画されたインプラントの位置）を含む治療計画も、ＣＢＣＴ／ＭＲＩ画像１８、および口腔内画像２０、および／または２Ｄ／３Ｄ顔面走査に幾何学的に登録され、治療部位１４ａ上に重ね合わされてよい。別の実施形態では、治療計画／計画されたインプラントの位置３２は、任意選択で、臨床医から要求を受信した後、および／または術前画像が別々に登録されてまとめられた後、治療部位１４ａ上に重ね合わされてよい。本明細書の実施形態では、幾何学的に登録された画像は、以下で論じるインプラント切削手順の前またはインプラント切削手順中に、コンピュータシステム１００のユーザインタフェース１２６（例えば、ジェスチャ認識システムおよび／または音声認識システムなど）を通して臨床医１０によって調節されてよい。
【００２２】
手順を実行するために、プロセッサ１２２は、メモリ装置上に格納されている適切な命令をロードしてよく、次いでロードされた命令を実行してよい。ディスプレイを通した患者１４の上へのＣＢＣＴ／ＭＲＩ画像および／または口腔内画像の重ね合わせは、動的かつリアルタイムに行われてよく、追跡手段２と連携して機能するプロセッサ１２２によって達成されてよく、（ｉ）患者１４および（ｉｉ）臨床医１０の位置の変化は、追跡手段２によって捕捉され、重ね合わされた画像が患者１４の標的領域／部位１４ａ（例えば、頬側口腔）上に直接重なって見えるように、対応する変化を重ね合わされた画像の位置に反映させてよい。ここで、重ね合わされた画像中に示された患者の内部構造間の空間的関係を様々な位置から見るために、臨床医１０が頭を動かすことに応答して、プロセッサは、臨床医１０に、インプラント切削手順に関連する患者特有の術前画像情報への直接かつ精密なアクセスを与えるＣＢＣＴデータ１８と口腔内データ２０での登録を提供するように構成されてよい。前述のインプラント切削手順についての指示は、プロセッサ１２２によって制御されてよく、任意選択でディスプレイ１２上に示されてよく、（ｉ）ハンドピース１６のドリル２４が重ね合わされた計画されたインプラントの位置３２からそれた場合、視覚／デジタルまたは聴覚合図を活性化させること、（ｉｉ）ハンドピース１６のドリル２４が重ね合わされた計画されたインプラントの位置３２からそれた場合、ハンドピース１６を不活性化させること、（ｉｉｉ）重要な神経２２（例えば、歯槽神経）からのドリル２４の距離、およびインプラント配置に最適な骨質および骨量の領域をディスプレイに示し、前述の距離は、術前画像および追跡手段２からの動作データ（例えば、ドリル回転データ）から計算されることを含み得るが、これらに限定されない場合がある。インプラント切削手順の結果は、以下で論じる方法に記載されるようなさらなる設計のために、術後画像として追跡手段２および／またはカメラシステム３によって捕捉されてよい。
【００２３】
拡張現実誘導手術用のコンピュータシステム
拡張現実ポータルを使用することで、後続の計画手順に従った場合の結果も同時に捕捉し、歯科インプラント装置４の配置が容易になるシステム１について記載してきたが、次に、本明細書の例示的実施形態の少なくともいくつかに従って採用されてよいコンピュータシステム１００のブロック図を示す図２を参照する。この例示的コンピュータシステム１００に関して様々な実施形態が本明細書に記載されている場合があるが、本記載を読んだ後に、他のコンピュータシステムおよび／またはアーキテクチャを使用して本開示を実装する方法が当業者には明らかになるであろう。
【００２４】
本明細書の１つの例示的実施形態では、コンピュータシステム１００は、少なくとも１つのコンピュータプロセッサ１２２を含んでよく、追跡手段２、ユーザインタフェース１２６、および入力ユニット１３０を含んでよい。入力ユニット１３０は、情報をコンピュータプロセッサ１２２に送信するために、コンピュータシステム１００のユーザがモニタなどのディスプレイユニット１２８とともに使用することができる。本明細書の１つの例示的実施形態では、入力ユニット１３０は、タッチスクリーンインタフェース２１で使用される指またはスタイラスである。あるいは、入力ユニット１３０は、ジェスチャ／音声認識装置、トラックボール、マウス、またはキーボードもしくはスタイラスなどの他の入力装置であってよい。一例では、ディスプレイユニット１２８、入力ユニット１３０、およびコンピュータプロセッサ１２２は、集合的にユーザインタフェース１２６を形成してよい。
【００２５】
コンピュータプロセッサ１２２としては、例えば、中央処理装置、多重処理装置、特定用途向け集積回路（「ＡＳＩＣ」）、フィールドプログラマブルゲートアレイ（「ＦＰＧＡ」）などが挙げられてよい。プロセッサ１２２は、通信インフラ１２４（例えば、通信バスまたはネットワーク）に接続されてよい。本明細書の実施形態では、プロセッサ１２２は、術前画像の登録が必要である、またはインプラント切削手順の治療計画が必要であるという要求を受信してよく、コンピュータシステム１００のモデリングシステム１５２のメモリおよび／またはコンピュータシステム１００の１つまたは複数のストレージユニットから、要求に関する命令を得てよい。次いで、プロセッサ１２２は、幾何学的に登録された画像を、臨床医１０のディスプレイ１２を通して治療部位上に重ね合わせるなどの命令をロードし、ロードされた命令を実行してよい。代替の実施形態では、コンピュータシステムは、拡張現実システムに基づいた投影を使用してよく、例えば、プロジェクタおよび深さセンサが、追跡手段２および／または患者１４上のマーカー（例えば、隠しマーカー）とともに、術前画像および計画された治療位置を患者の標的部位１４ａ（例えば、頬側口腔）上に直接投影してよい。ここで、拡張現実眼鏡などのディスプレイ１２は必要ない場合がある。
【００２６】
ユーザインタフェース（または他の出力インタフェース）１２６は、ディスプレイユニット１２８（これは１つの例示的実施形態では、臨床医のディスプレイ１２を形成するか、またはディスプレイ１２に含まれてよい）上で表示するために、ビデオグラフィックス、テキスト、および他のデータを通信インフラ１２４（またはフレームバッファ（図示せず））から転送してよい。例えば、ユーザインタフェース１２６は、グラフィックス処理装置とともにビデオカードを含んでよい。
【００２７】
画像を重ね合わせるための１つまたは複数のステップは、コンピュータ可読プログラム命令の形態で非一時的ストレージ装置に格納されてよい。手順を実行するために、プロセッサ１２２は、ストレージ装置上に格納されている適切な命令をメモリにロードし、次いでロードされた命令を実行する。
【００２８】
図２のコンピュータシステム１００は、ランダムアクセスメモリ（「ＲＡＭ」）であってよいメインメモリ１３２をさらに備えてよく、二次メモリ１３４も含んでよい。二次メモリ１３４としては、例えば、ハードディスクドライブ１３６および／または取外し可能なストレージドライブ１３８（例えば、フロッピーディスクドライブ、磁気テープドライブ、光ディスクドライブ、フラッシュメモリドライブなど）が挙げられてよい。取外し可能なストレージドライブ１３８は、周知の方法で取外し可能なストレージユニット１４０から読み出し、かつ／またはそこに書き込んでよい。取外し可能なストレージユニット１４０は、例えば、取外し可能なストレージドライブ１３８によって書き込みおよび読み出し可能なフロッピーディスク、磁気テープ、光ディスク、フラッシュメモリ装置などであってよい。取外し可能なストレージユニット１４０は、コンピュータ実行可能なソフトウェア命令および／またはデータを格納する非一時的コンピュータ可読ストレージ媒体を含んでよい。
【００２９】
さらなる代替の実施形態では、二次メモリ１３４は、コンピュータ実行可能なプログラムまたはコンピュータシステム１００にロードされる他の命令を格納する他のコンピュータ可読媒体を含んでよい。そのような装置としては、取外し可能なストレージユニット１４４およびインタフェース１４２（例えば、プログラムカートリッジおよびカートリッジインタフェース）、取外し可能なメモリチップ（例えば、消去可能プログラム可能読み出し専用メモリ（「ＥＰＲＯＭ」）またはプログラム可能読み出し専用メモリ（「ＰＲＯＭ」））および関連するメモリソケット、ならびにソフトウェアおよびデータを取外し可能なストレージユニット１４４からコンピュータシステム１００の他の部分に転送するのを可能とする他の取外し可能なストレージユニット１４４およびインタフェース１４２が挙げられてよい。
【００３０】
コンピュータシステム１００は、ソフトウェアおよびデータをコンピュータシステム１００と外部装置との間で転送するのを可能とする通信インタフェース１４６も含んでよい。そのようなインタフェースとしては、モデム、ネットワークインタフェース（例えば、イーサネットカードまたはＩＥＥＥ  ８０２．１１無線ＬＡＮインタフェース）、通信ポート（例えば、ユニバーサルシリアルバス（「ＵＳＢ」）ポートまたはＦｉｒｅＷｉｒｅ（登録商標）ポート）、パーソナルコンピュータメモリカード国際協会（「ＰＣＭＣＩＡ」）インタフェース、Ｂｌｕｅｔｏｏｔｈ（登録商標）などが挙げられてよい。通信インタフェース１４６を介して転送されるソフトウェアおよびデータは、信号の形態であってよく、この信号は、通信インタフェース１４６によって送信および／または受信することが可能であってよい電子信号、電磁信号、光信号、または別のタイプの信号であってよい。信号は、通信路１４８（例えば、チャネル）を介して通信インタフェース１４６に提供されてよい。通信路１４８は信号を搬送し、ワイヤまたはケーブル、光ファイバー、電話線、セルラーリンク、無線周波数（「ＲＦ」）リンクなどを使用して実装されてよい。コンピュータシステム１００とリモートサーバまたはクラウドベースのストレージ（図示せず）との間でソフトウェアまたはデータまたは他の情報を転送するために、通信インタフェース１４６が使用されてよい。
【００３１】
１つまたは複数のコンピュータプログラムまたはコンピュータ制御論理は、メインメモリ１３２および／または二次メモリ１３４に格納されてよい。コンピュータプログラムはまた、通信インタフェース１４６を介して受信されてもよい。コンピュータプログラムは、コンピュータプロセッサ１２２によって実行されるとき、コンピュータシステム１００に以下に記載されるような方法を実行させるコンピュータ実行可能な命令を含んでよい。
【００３２】
別の実施形態では、ソフトウェアは非一時的コンピュータ可読ストレージ媒体に格納され、取外し可能なストレージドライブ１３８、ハードディスクドライブ１３６、および／または通信インタフェース１４６を使用して、コンピュータシステム１００のメインメモリ１３２および／または二次メモリ１３４にロードされてよい。制御論理（ソフトウェア）は、プロセッサ１２２によって実行されるとき、コンピュータシステム１００、より一般的には、拡張現実誘導手術用のシステムに、本明細書に記載された方法のすべてまたはいくつかを実行させる。
【００３３】
本明細書に記載された機能を実行するための他のハードウェア構成の実装は、本記載を考慮すれば当業者には明らかであろう。
【００３４】
拡張現実誘導手術の方法
図２のコンピュータシステム１００について記載してきたが、次に、拡張現実誘導手術の方法について、拡張現実を使用することで、修復物設計などの後続の計画手順に従って配置した場合の結果も同時に捕捉し、歯科インプラント装置４の配置が容易になる方法を示す図３〜図４とともにさらに記載する。
【００３５】
方法は、複数のデジタルおよび物理入力データを使用することで、歯科インプラント４を容易に配置し提供することを含んでよい。
【００３６】
図３のステップＳ１００で、一次術前画像を得てよい。画像は、患者１４特有の歯の解剖学的構造または標的部位１４ａのＸ線走査１８であってよい。この走査内で捕捉されるものは、骨密度、骨質、骨多孔率、関連する神経２２の位置、隣接する歯の解剖学的構造、および歯科インプラント４に理想的な位置（計画されたインプラントの位置３２）を決定するのに必要な他の目印であり得る。このデータは、ＣＢＣＴ、ＭＲＩ、および／または２Ｄ  Ｘ線撮像などの体積走査法を使用して捕捉されてよい。
【００３７】
ステップＳ２００で、二次術前画像を得てよい。画像は任意選択であってよく、歯および歯茎の口腔内走査２０などの基準面のセットを含んでよく、Ｘ線１８に幾何学的に登録されてよい。
【００３８】
実施形態では、ステップＳ３００で、さらに別の術前画像（三次入力）を得てよい。画像は、２次元または３次元顔面画像であってよく、処理ステップＳ４００で一次および二次入力の両方に幾何学的に登録されてよい。画像は、必要に応じて基準点とともに取得されてよく、追跡手段２またはカメラシステム３による３Ｄ物体（例えば、目、鼻、頤など）または２Ｄパターン（例えば、サージカルスキンマーカーの印）の認識は、手術中、追加のナビゲーションウェイポイントとして使用されてよい。幾何学的登録は、異なる医用画像タイプにおける共通の特徴（例えば、ＣＢＣＴおよび口腔内走査データ中のおおよその咬合平面、歯列弓咬合、歯肉／歯の解剖学的特徴、顔面の２Ｄまたは３Ｄ画像中の上下の唇の間など）を検出し、検出された特徴を使用して画像をスティッチングし、かつ／またはベストフィットアルゴリズム（反復最接近点アルゴリズムなど）によって登録を繰り返し改良することによって、手動でまたは自律的に達成されてよい。さらに、所定の基準マーカーが、幾何学的登録のための補助的な較正基準点として患者（皮膚上または口腔内など）に使用されてよい。結果として得られる医用画像／術前画像の完全に登録された「スタック」は、インプラント配置手順のさらなる計画および実行のための基準モデルとして使用されてよい。
【００３９】
プロセッサ１２２は、幾何学的登録に基づいて患者特有のインプラント配置プロトコルを提供するように構成されてよい。ここで、術前画像は相互に関連付けられ、Ｘ線走査１８および／または口腔内走査２０に含まれる情報（例えば、歯槽神経の位置、骨密度、隣接する歯の表面の相対位置など）に基づいて、計画されたインプラントの位置３２に歯科インプラント４のための最適な切削孔を決定してよい（Ｓ４５０）。決定に必要とされ得る他の情報としては、インプラントの設計／ジオメトリ、インプラントの位置（高さ、角度、回転）、ならびに理想的な切開部位および切削プロトコルなどの外科手順の詳細が挙げられてよい。情報の１つまたは複数は、プロセッサ１２２に既に提供したか、またはプロセッサ１２２に提供されてよい。さらに、プロセッサ１２２は、前述の決定に必要な情報の１つまたは複数を決定するために、本明細書に記載された装置のいずれか、例えば、カメラシステム３、埋め込みセンサ２６などを利用してよい。代替の実施形態では、臨床医１０は、計画されたインプラントの位置３２を変更または決定してよい。
【００４０】
手術プロセス中、プロセッサは、幾何学的に登録された画像をディスプレイ１２上に表示するように構成されてよい（Ｓ５００）。臨床医から見ると、画像は、標的部位１４ａ上に重ね合わされていてよい。この重ね合わせは、患者が動いても画像が患者の標的部位上に直接重なって見えるように、追跡手段を使用して更新されてよい。これにより、臨床医１０はリアルタイムでナビゲートされ、歯科インプラント４を計画されたインプラントの位置３２に導いてよい。これはまた、任意の物理的誘導装置、またはナビゲーション手術手順で一般に使用されるような手術中の登録フラグの使用の必要性を取り除いてよい。
【００４１】
例示的実施形態では、ドリルの正確度を高めるために、ドリル２４に対するインプラントの配向を、以下により詳細に記載されるようなツールナビゲーションの歯科環境に対するインプラントの配向に変換するように、埋め込みセンサ２６がハンドピース１６に組み込まれてよい。加えて、患者の歯列に対するハンドピース１６の絶対配向を測定するために、カメラシステム３によって検出可能であってよい視覚的マーキングおよび特徴がハンドピース１６に組み込まれてよい。埋入後の歯科インプラントの位置を確認するために、所定の特徴が、歯科インプラント４のヒーリングアバットメント（図示せず）の咬合面上に含まれてよい。拡張現実カメラを使用して、計画された位置３２に対する最終的なインプラントの位置３４が、修復物の設計のために得られてよい。
【００４２】
（ａ）歯科インプラント４を埋入するための切削孔を作り、かつ（ｂ）インプラントを埋入するための、臨床医１０へのナビゲーション指示は、ステップＳ６００および図４に示すように、以下によって得られてよい：（ｉ）ステップＳ６０２で、例えば、カメラシステム３（例えば、３Ｄ光学追跡システム）、および顔面の目印（例えば、鼻、口など）、および／または所定のマーカー（例えば、頬側口腔の軟組織上のインクマーカー、歯に取り付けられたマーカーなど）を使用して臨床環境（患者の頭、顔、口など）を追跡すること。（ｉｉ）ステップＳ６０４に示すように、ハンドピース２６およびドリル２４を追跡することであって、ここで、患者１４に対するハンドピース１６の位置は、ステップＳ６０６で追跡されてよく、ハンドピースに対するドリル２４の位置は、ステップＳ６０８で得られてよく、臨床環境に対するドリル２４の位置を得るために臨床環境に対するハンドピースの位置と組み合わされてよい（ステップＳ６１０）。（ｉｉｉ）ドリル２４をナビゲートし、インプラント４を配置するための指示を提供すること（ステップＳ６１２）。ここで、臨床環境に対するドリル２４の位置が分かると、（ａ）（計画されたインプラントの位置３２でのインプラントの深さと比較した）切削深さの正確度を指示する、例えば赤色−黄色−緑色光、着色光、またはその他の光が、ディスプレイ１２上に表示され得る視覚形態、（ｂ）例えば言葉による合図または他の可聴音が、ドリル２４をどこに動かすべきか、切削をいつ開始／停止するべきかを指示するように活性化される聴覚形態、（ｃ）ツールが所定のドリル深さに近づくと、例えば振動要素（図示せず）の振動の強度が増減する触覚形態を含む１つまたは複数の形態で、ナビゲーション推奨がユーザに提供されてよい。本明細書の実施形態では、ハンドピース１６は、切削の位置が計画されたインプラントの位置３２から所定量（例えば、０．５〜２ｍｍ）それた場合、またはドリルが損傷してはならない神経２２に接近している場合、不活性化されてよい。
【００４３】
切削後、インプラント４は、インプラント４をインプラントドライバーツールに取り付け、インプラントドライバーをハンドピースに取り付け、インプラント４を所定の位置に詰め込むことによって切削孔に埋入されてよい。ステップＳ６１０から、ハンドピースに対するインプラントの位置は、インプラントドライバーの長さ／寸法を使用してプロセッサによって決定されてよい。臨床環境に対するハンドピースの位置も、患者およびハンドピースの継続中の追跡によって分かる。さらに、インプラントの内部嵌合ジオメトリの回転配向は、ドライバーのインプラント界面ジオメトリによって、インプラントドライバーの回転配向と相関する。同様に、インプラントドライバーの回転位置は、例えば、ハンドピース１６中の回転式ポテンショメータで監視および記録されてよい。結果として得られる臨床データ、ハンドピース／構成要素ジオメトリデータ、ドライバージオメトリデータ、および／またはカメラシステム３からの術後画像を組み合わせることは、患者の歯列内で最終的なインプラントの位置３４を定めるための情報を提供する（ステップＳ７００、図３）。この位置データは、隣接する歯列および軟組織の最初の口腔内走査データ２０と組み合わされ、最終的または一時的なアバットメント、クラウン、ヒーリングアバットメント、ブリッジ、および修復または美容目的で周囲の歯の解剖学的構造と相関させるためにインプラントの位置の把握を必要とし得る任意の他の装置などの、歯科修復物を設計するための入力として使用されてよい（ステップＳ８００）。ここでは、最終的なインプラントの位置を決定するために、その他の方法では必要とされるような物理的印象はもはや必要ない場合があり、臨床医の職場で過ごす時間は短縮され得る。
【００４４】
さらに別の実施形態では、幾何学的に登録された画像は、患者１４の上に重ね合わされない場合がある。代わりに、臨床医１０は、例えば従来の手段によって、インプラント４を埋入してよく、埋入されたインプラント４の最終的な位置は、追跡手段２／カメラシステム３を使用して得られてよく、例えば、ハンドピース１６中の埋め込みセンサ２６および／または術後画像が採用されてよい。最終的なインプラントの位置が分かっているので、修復物の設計などの計画／設計プロセスは、物理的印象を採得する必要なく達成され得る。
【００４５】
上の記載を考慮すれば、本明細書に記載された例示的実施形態が、拡張現実を使用することで、修復物設計などの後続の計画手順に従って配置した場合の結果も同時に捕捉し、歯科インプラント装置４の配置が容易になる方法およびシステムを提供することが理解され得る。
【００４６】
特に定義されない限り、本明細書で使用されるすべての技術用語および科学用語は、本発明が属する当業者によって一般に理解されるのと同じ意味を有する。本明細書に記載されたものと同様または同等の方法および材料を本開示の実施または試験に使用することができるが、好適な方法および材料は上に記載されている。本明細書で言及されているすべての刊行物、特許出願、特許、および他の参考文献は、適用法および規則によって許容される程度までそれら全体が参照により組み込まれる。本開示はその趣旨または必須の特性から逸脱することなく他の特定の形態で具体化されてよく、したがって、本実施形態はあらゆる点で限定するものとしてではなく例示としてみなされることが望ましい。本記載の中で利用された任意の見出しは単に便宜上のものであり、法的または限定的効果を有しない。
【図１】
2021529618.tif 000003
【図２】
2021529618.tif 000004
【図３】
2021529618.tif 000005
【図４】
2021529618.tif 000006
【国際調査報告】
2021529618.tif 000007
2021529618.tif 000008